(57)【要約】【課題】親機において画像を録画するための記憶容量を比較的小さくしながらも多数台の撮像装置からの画像の録画を可能する。【解決手段】親機１は、カメラ付きのドアホン子器２、センサカメラ３ａ、監視カメラ３ｂ、ウェブカメラ４０３により撮像された画像を含む録画録音データを蓄積するフラッシュＲＯＭ４５を備える。また、親機１はインタフェース部５５、ゲートウェイ４００、ＡＤＳＬモデム４０１を介してインタネット６０１上のセンタサーバ６０２に接続される。フラッシュＲＯＭ４５の記憶容量を超える録画録音データはセンタサーバ６０２に転送され、またセンタサーバ６０２から読み出される。【選択図】　　　　図１
2004135202.tif 000002
【特許請求の範囲】
【請求項１】
画像を撮像する撮像装置と、宅内に設置されネットワークに接続可能な通信手段を備える親機と、ネットワーク上に設けられ画像を蓄積する機能を有した画像サーバとを備え、親機には、少なくとも撮像装置により撮像された画像を蓄積する画像記録手段と、少なくとも撮像装置で撮像された画像を表示する画像表示手段と、画像を画像サーバに転送して蓄積させる画像送信機能および画像サーバから画像を読み出して画像表示手段に表示させる画像受信機能を有した主制御手段とを設けていることを特徴とする住宅用監視システム。
【請求項２】
前記主制御手段は、前記撮像装置により撮像された画像のうち前記画像記録手段の記憶容量を超える画像を前記画像サーバに転送して蓄積させることを特徴とする請求項１記載の住宅用監視システム。
【請求項３】
前記主制御手段は、前記撮像装置により撮像された画像と、前記撮像装置により撮像された画像のうち前記画像記録手段の記憶容量を超える画像と、を前記画像サーバに転送して蓄積させることを特徴とする請求項１記載の住宅用監視システム。
【発明の詳細な説明】
【０００１】
【発明の属する技術分野】
本発明は、住宅回りに設定した監視範囲の画像を宅内に設置した親機の画像表示手段に表示させる住宅用監視システムに関するものである。
【０００２】
【従来の技術】
従来から、住宅回りに設定した監視範囲を撮像する画像装置としてドアホン子器に内蔵したカメラを用い、宅内に配置された親機の画像表示手段にカメラで撮像した画像を表示する住宅用監視システムが提案されている。また、ドアホン子器に内蔵したカメラで撮像した画像を録画する機能を親機が備えているものも知られている（たとえば、特許文献１参照）。
【０００３】
【特許文献１】
特開２００２−２２３４３６号公報（第５−６頁、図１−２）
【０００４】
【発明が解決しようとする課題】
ところで、特許文献１に記載された従来技術では、ドアホン子器を来客が操作したときに、ドアホン子器に内蔵したカメラで撮像した画像の静止画像を録画することを想定しているものであって、親機において画像を録画するために必要な記憶容量は比較的少ないものである。一方、最近では親機においてドアホン子器からの画像だけではなく監視カメラのような他の撮像装置の画像の取り込みも可能とすることが要求されており、多数台の撮像装置からの画像を録画しようとすれば、親機に膨大な記憶容量が必要になり、親機が大型化するという問題が生じる。
【０００５】
本発明は上記事由に鑑みて為されたものであり、その目的は、親機において画像を録画するための記憶容量を比較的小さくしながらも多数台の撮像装置からの画像の録画を可能とした住宅用監視システムを提供することにある。
【０００６】
【課題を解決するための手段】
請求項１の発明は、画像を撮像する撮像装置と、宅内に設置されネットワークに接続可能な通信手段を備える親機と、ネットワーク上に設けられ画像を蓄積する機能を有した画像サーバとを備え、親機には、少なくとも撮像装置により撮像された画像を蓄積する画像記録手段と、少なくとも撮像装置で撮像された画像を表示する画像表示手段と、画像を画像サーバに転送して蓄積させる画像送信機能および画像サーバから画像を読み出して画像表示手段に表示させる画像受信機能を有した主制御手段とを設けていることを特徴とする。
【０００７】
請求項２の発明では、請求項１の発明において、前記主制御手段は、前記撮像装置により撮像された画像のうち前記画像記録手段の記憶容量を超える画像を前記画像サーバに転送して蓄積させることを特徴とする。
【０００８】
請求項３の発明では、請求項１の発明において、前記主制御手段は、前記撮像装置により撮像された画像と、前記撮像装置により撮像された画像のうち前記画像記録手段の記憶容量を超える画像と、を前記画像サーバに転送して蓄積させることを特徴とする。
【０００９】
【発明の実施の形態】
本実施形態では、図１に示すように、親機１を中心として、インターホン機能、住宅設備の制御監視機能、防犯・防災などのセキュリティ機能を統合した例を示す。親機１には各種接続部２０〜２７，２９（図２参照）が設けられる。接続部２０は音声ないし画像を出力する機器が接続され、たとえば、カメラ付きのドアホン子器２、カメラ無しのドアホン子器２’、付設した人感センサなどに連動して起動するセンサカメラ３ａ、玄関ポーチなどに設けられる監視カメラ３ｂが接続される。ここで、カメラはＴＶカメラを意味しており撮像装置として機能する。なお、撮像装置には後述するウェブカメラも含まれる。接続部２１にはセンサまたはスイッチが接続され、たとえば呼出用押釦装置４、火報センサ５ａ、ガスセンサ５ｂ、防犯スイッチ６、非常用押釦装置７が接続される。さらに、接続部２２にはＪＥＭ−Ａ規格の空調機器８や電気錠９が接続される。これらの接続部２０〜２２は複数個ずつ設けられている。接続部２３には警報報知用の増設ベル１０などが接続され、接続部２４には宅内に必要に応じて設けられる副親機１２，１２ａが伝送線１３を介して接続される。接続部２５は汎用通信系のＲＳ４８５用の２線のバス１４を接続するものであり、接続部２６は１０ＢＡＳＥ−Ｔのケーブル１５を接続するものである。また、接続部２７には、電話機１６をインターホンのハンドセットとして使用可能とするドアホンアダプタ１７との間の通話線１８が接続される。接続部２９は後述する内蔵のスピーカＳＰと同様に用いる増設スピーカ１１を接続するものである。親機１には異常発生時などに通報出力を自動通報機１９に送る接点出力部２８も設けられる。
【００１０】
親機１の内部には、図２に示すように、親機１の全体の信号処理・制御を担うＣＰＵ部３０と、接続部２０に接続された信号線８０を通してドアホン子器２，２’から送られてくる呼出信号を検出するとともに呼出信号に対応した検出信号をＣＰＵ部３０に出力するドアホン呼出検出回路３１と、接続部２１に接続されるセンサないしスイッチの信号をＣＰＵ部３０との間で内部バス３２を介して通信するためのＩ／Ｏポート３３と、複数設けた接続部２０を通してそれぞれ取り込まれる音声信号ないし映像信号をＣＰＵ部３０の制御の下で選択するセレクタ回路３４とが設けられる。カメラ付きのドアホン子器２からの音声信号および映像信号は周波数多重化によって伝送されており、ドアホン子機２’からは音声信号が伝送され、監視カメラ３ｂやセンサカメラ３ａからは映像信号が伝送される。映像信号はＦＭ変調されており、セレクタ回路３４を通して取り込まれた映像信号はビデオ復調回路３５により復調される。
【００１１】
さらに、親機１には、ビデオ復調回路３５で復調されたアナログの映像信号をデジタル画像データに変換するビデオコンバータ３６と、ビデオコンバータ３６からの画像データに付加・加工・補正を施すことができるグラフィックス生成回路３９と、グラフィックス生成回路３９から出力された画像データをアナログの映像信号に変換するビデオコンバータ４０と、ビデオコンバータ４０から出力された映像信号をＦＭ変調して送出するビデオ変調回路４１とが設けられる。ビデオコンバータ４０から出力された映像信号は液晶ディスプレィからなるモニタ装置３７に表示され、ビデオ変調回路４１から出力される映像信号をＦＭ変調した信号は接続部２４を通して副親機１２に伝送され、副親機１２に設けられた液晶ディスプレイからなるモニタ装置６３（図３参照）に画像を表示する。グラフィックス生成回路３９はグラフィックデータを生成する回路であって、生成したグラフィックデータをビデオコンバータ３６からの画像データの所定位置に付加する機能、生成したグラフィックデータをビデオコンバータ３６からの画像データとは別に単独で出力する機能、生成したグラフィックデータをビデオコンバータ３６からの画像データと合成する機能、ビデオコンバータ３６からの画像データの画質補正処理やエフェクト処理を行う機能を有する。つまり、グラフィックス生成回路３９では、モニタ装置３７，６３に表示する画像へのタッチスイッチの表示、ドアホン子器２やセンサカメラ３ａや監視カメラ３ｂにより撮像した画像の合成表示あるいはスーパーインポーズ表示、接続部２１に接続されるセンサやスイッチなどの状態表示、後述する留守録画情報の表示、画質補正や画像エフェクト処理などを行う。なお、グラフィックス生成回路３９には作業メモリとしてのビデオＲＡＭ４４が付設される。
【００１２】
セレクタ回路３４と接続部２４との間には通話処理回路４２が設けられ、セレクタ回路３４を介して取り込んだドアホン子器２，２’からの音声信号は通話処理回路４２を通して副親機１２，１２ａへ送出され、副親機１２，１２ａから接続部２４を介して取り込んだ音声信号は通話処理回路４２を通してドアホン子器２，２’へ送出される。つまり、通話処理回路４２はドアホン子器２，２’と副親機１２，１２ａとの間の通話状態を制御する。副親機１２からは音声信号や映像信号とともに周波数多重化されたＦＳＫ信号による制御信号も接続部２４に入力される。制御信号は制御コマンドＩ／Ｆ回路４３に入力され、制御コマンドＩ／Ｆ回路４３では副親機１２での操作情報である制御コマンドを抽出してＣＰＵ部３０へ受け渡すとともにＣＰＵ部３０で生成された制御コマンド（制御情報）を副親機１２，１２ａへ制御信号として送出する。ドアホン子器２，２’からの通話処理回路４２を通った音声信号とビデオ変調回路４１からの映像信号とを接続部２４を介して伝送線１３に送出させるとともに、副親機１２，１２ａからの音声信号を抽出して通話処理回路４２に送るための結合部５６も親機１に設けられる。
【００１３】
親機１には、後述するように録画および録音の機能がありまた各種データを記憶する必要があるから録画および録音と各種データの記憶のためにフラッシュＲＯＭ４５が設けられる。また、作業メモリおよびデータの一時格納のためにＲＡＭ４６が設けられている。さらに接続部２２に制御線８１を通じて接続される日本電機工業会の規格（ＪＥＭ−Ａ）に準じた空調機器８や電気錠９に対して制御信号の送信あるいは動作モニタ信号の受信を行うＩ／Ｆ回路４７と、内部バス３２を通じてＣＰＵ部３０から受け取った制御信号をＩ／Ｆ回路４７に送るとともにＩ／Ｆ回路４７から受ける動作モニタ信号を内部バス３２を通じてＣＰＵ部３０に送るためのＩ／Ｏポート４８を備えている。このＩ／Ｏポート４８はＣＰＵ部３０からの制御信号に基づいて接点出力部２８をオンさせて自動通報出力を自動通報機１９へ送るようにもなっている。
【００１４】
さらに加えて、親機１には、ドアホン子器２，２’との通話や副親機１２，１２ａとの通話が可能なようにハンズフリーの通話制御を行う音声処理回路４９が設けられ、音声処理回路４９にはマイクロホンＭＩＣとおよびスピーカＳＰが、それぞれアンプ５３ａ，５３ｂを介して接続されている。また、音声処理回路４９には増設スピーカ１１を接続する接続部２９も接続される。親機１では各種操作が可能なようにモニタ装置３７の表示画面上にタッチパネル５０を設けるとともに、タッチパネル５０の操作座標情報の取り込みなどを行うタッチパネルコントローラ５１を備えている。さらにタッチパネル５０以外に各種操作釦と表示素子とを備えた操作表示部５２が設けられ、その操作情報をＣＰＵ部３０が取り込むようになっている。操作表示部５２に設けられる操作釦としては、ドアホン子器２，２’との間の通話を行うための通話釦Ｓ０、モニタ装置３７の画面に基本となるメニュー画面を呼び出すためのメニュー釦Ｓ１、室内呼出のための室内呼出釦Ｓ２、撮像装置により撮像した画像をモニタ装置３７に表示させるためのモニタ釦Ｓ３、留守中の処理を行うための留守釦Ｓ４や了解釦Ｓ５が設けられ、さらに操作表示部５２には各種表示ランプが設けられている。
【００１５】
また、外部のＲＳ４８５仕様のバス１４が接続される接続部２５と内部バス３２との間にはＲＳ４８５用のインターフェース部５４を設け、外部のバス１４に接続されている後述する各種端末とＣＰＵ部３０との間で制御・監視の情報の授受が行えるようになっている。さらに、外部の１０ＢＡＳＥ−Ｔ用のケーブル１５を通して後述するゲートウェイ９０とＣＰＵ部３０との間で情報の授受ができるように、内部バス３２と接続部２６との間には通信手段としての１０ＢＡＳＥ−Ｔ用のインターフェース部５５を設けている。
【００１６】
一方、モニタ装置付きの副親機１２は、図３に示すように、親機１に接続した伝送線１３を接続する接続部６０を備え、内部回路としては副親機１２の制御と信号処理とを行うためのＣＰＵ部６１と、親機１から送られてくるＦＭ変調された映像信号を復調するためのビデオ復調回路６２と、復調された画像を映すための液晶ディスプレイからなるモニタ装置６３とを備える。また、副親機１２はマイクロホンＭＩＣおよびスピーカＳＰを用いて親機１やドアホン子器２，２’や他の副親機１２，１２ａとの間でハンズフリーで双方向の通話を可能とするための音声処理回路６４を備える。音声処理回路６４には親機１から送られくる呼出信号の受信時に報知音をスピーカＳＰより報知する機能もある。マイクロホンＭＩＣおよびスピーカＳＰと音声処理回路６４との間には、それぞれ送話用の音声信号を増幅するためのアンプ７２および受話用の音声信号を増幅するためのアンプ７３とが設けられる。なお、図示していないが、副親機１２には増設スピーカ７４を接続する接続部（図示せず）が設けられる。
【００１７】
さらに、副親機１２には、親機１の操作部５２と同様にドアホン子器２，２’との間の通話を行うための通話釦Ｓ０、モニタ装置６３の画面に基本となるメニュー画面を呼び出すためのメニュー釦Ｓ１、室内呼出のための室内呼出釦Ｓ２、撮像装置の画像をモニタ装置６３に表示させるためのモニタ釦Ｓ３、留守中の処理を行う留守セットモードを選択するための留守釦Ｓ４および了解釦Ｓ５を備えた操作部６５が設けられる。モニタ装置６３の画面にはタッチパネル６６が設けられ、親機１から送られてくる操作部位を示す画像に対応したタッチ操作があると、タッチパネルコントローラ６７がタッチパネル６６上での操作位置を示す座標情報を操作情報としてＣＰＵ部６１に受け渡す。また、操作部６５に設けた通話釦Ｓ０を含む手動操作用の操作釦の操作情報はスイッチ入力部６８が取り込んでＣＰＵ部６１へ受け渡す。ＣＰＵ部６１は、タッチパネルコントローラ６７の操作情報およびスイッチ入力部６８の操作情報に基づいて制御コマンドや座標情報を生成出力し、制御コマンドや座標情報は制御コマンドＩ／Ｆ回路６９によりＦＳＫ信号形式に変換された後に接続部６０を介して送出される。また、操作部６５での操作状態などは表示ランプを設けた表示部７０により表示され、表示部７０はＣＰＵ部６１からの制御信号により表示駆動部７１を介して駆動される。
【００１８】
モニタ装置を備えていない副親機１２ａは、副親機１２からモニタ装置６３とビデオ復調回路６２とタッチパネル６６とタッチパネルコントローラ６７とを省略した構成であって、その他の回路構成は副親機１２と同様である。
【００１９】
上述したように、接続部２４にはＲＳ４８５仕様のバス１４が接続され、親機１ではバス１４に接続された端末の制御監視を、ＣＰＵ部３０の監視制御機能の下で行えるようになっている。以下に端末の例を説明する。端末には、セキュリティ系の端末と住宅設備系の端末とがある。
【００２０】
セキュリティ系の端末としては、小電力無線を利用するワイヤレスデータ出力受信機２００とワイヤレスデータ入力送信機２０１とがある。ワイヤレスデータ出力受信機２００は、窓の開閉を監視し窓開検知時に無線電波によって検知信号を送信する防犯センサ１０１、門扉や塀からの侵入者の監視を光ビームを用いて行い侵入者が検知されると無線電波によって検知信号を送信する防犯センサ１０２、家人が携行し非常時に操作することで操作情報を無線電波で送信する携帯用コール釦装置１０３ａ、適所に配置され操作時に操作信号を無線電波で送信するコール釦装置１０３ｂ、システム全体に設置される防犯・防災系のセンサ類の検知を有効とする警戒状態のセットとそのリセットの信号を無線電波で送信する警戒セット／リセット操作器１０４などに対応してこれらの電波信号を受信し、受信した検知や操作の情報をバス１４を通じて親機１へ送るものである。また、ワイヤレスデータ入力送信機２０１は警戒セット／リセット操作器１０４の操作に対するアンサーバック（確認）信号を親機１のＣＰＵ部３０の警戒セット／リセット設定機能の下で警戒セット／リセット操作器１０４に対して送信するものである。
【００２１】
警戒セット／リセット操作器１０４は本システムを設置する住宅が大きく門扉の位置から家屋まで離れている場合に有効なもので、たとえば家を出るときに家屋から離れた位置で警戒セットの信号を送信することができ、また帰宅するときにも外部からリセットの信号を送信することができるもので、有線式による操作器を門扉などに設ける場合に比して配線などを必要としないという利点がある。この警戒セット／リセット操作器１０４ではアンサーバック信号の受信によって操作に伴う警戒セット／リセットがなされたことを確認することができる。なお、警戒セット／リセット操作器１０４を使用しない場合にはワイヤレスデータ入力送信機２０１を設ける必要はない。
【００２２】
住宅設備系の端末としては、赤外線リモコンによる遠隔制御が可能な照明器具１０５の操作制御を親機１のＣＰＵ部３０の制御の下で行う照明マスタリモコン２０２がある。照明マスタリモコン２０２は、照明器具１０５を設けた部屋に設けられる照明サテライトリモコン２０３との間で無線電波（小電力無線）により制御情報の送信と動作確認のための返信信号の受信とを行う。
【００２３】
照明マスタリモコン２０２は図４（ａ）に示す構成を有し、親機１側から操作したい照明器具１０５の識別データと操作内容とを示す制御情報をインターフェース部２０２ａを介して受信すると、内部のＣＰＵ部２０２ｂの制御の下で無線送受信部２０２ｃから無線電波により制御情報を送信する。一方、照明サテライトリモコン２０３は図４（ｂ）に示す構成を有し、照明マスタリモコン２０２からの制御情報を無線送受信部２０３ａにより受信すると、ＣＰＵ部２０３ｂが制御情報に含まれる識別データをあらかじめフラッシュＲＯＭなどからなる記憶部２０３ｄに登録されている識別データと照合し、両識別データが一致した時に赤外線送信部２０３ｃから制御情報に対応する制御信号を赤外線により送信するとともに、返信信号を無線送受信部２０３ａを通して無線電波により照明マスタリモコン２０２へ送信する。照明マスタリモコン２０２では、返信信号を無線送受信部２０２ｂで受信すると、ＣＰＵ部２０２ｃの制御の下で動作確認情報をインターフェース部２０２ａを通して親機１へ送信する処理を行う。なお、照明サテライトリモコン２０３の赤外線送信部２０３ｃは対象となる照明器具１０５のメーカに対応した形式の赤外線信号を送信することができるように、メーカ別に設定ができる機能を備えているものとする。
【００２４】
住宅設備系の端末としては、電気錠１０６の施錠／解錠の操作と開戸／閉戸の監視とを行うための電気錠操作器２０４もある。電気錠操作器２０４は、電波などを用いた非接触式のカードキー２０５に対応するもので、図５に示すようにカードキー２０５に書き込まれている認識コードを非接触で読み取るリーダ部２０４ａと、電気錠１０６のデッドボルトを駆動することにより施錠／解錠を行う駆動部２０４ｂと、電気錠１０６のトリガに連動してドア（あるいは戸）の開戸／閉戸とを検知する検知スイッチの検知情報を取り込む開閉検知部２０４ｃと、ＲＳ４８５仕様のバス１４に接続するインターフェース部２０４ｄと、ＣＰＵ部２０４ｅとから構成されている。電気錠操作器２０４のリーダ部２０４ａは、カードキー２０５が接近するとカードキー２０５にあらかじめ書き込まれている識別コードを読み取り、ＣＰＵ部２０４ｅは読み取った識別コードの情報をインターフェース部２０４ｄを介して接続されたバス１４を通して親機１へ送る。親機１ではＣＰＵ部３０によりあらかじめ登録されている識別コードか否かの認証を行った後、許可されたカードキー２０５の場合には親機１から電気錠操作器２０４へ認識情報を送る処理がなされ、電気錠操作器２０４ではインターフェース部２０４ｄを通じて認識情報を受け取ると、駆動部２０４ｂを通じてデッドボルトを施錠方向または解錠方向に駆動する制御を行う。また、ＣＰＵ部２０４ｅは開閉検知部２０７の検知信号の変化を監視し、変化があると検知情報をインターフェース部２０４ｅを通じて親機１へ送信する機能を備えている。
【００２５】
電気錠操作器２０４に対応する機能として、親機１のＣＰＵ部３０は、上述したように識別コードの情報が送られてくるとあらかじめ登録されている識別コードと家人との関係テーブルから識別コードの認証を行って一致するものがあれば上述した認証情報を作成して返信する機能と、カードキー２０５による操作履歴をフラッシュＲＯＭ４５に蓄積格納する機能と、警戒セット状態下での解錠操作であれば警戒セットを解除する機能と、警戒セット状態下でかつ解除操作が無い状態で開戸を示す検知情報があると警報処理を行う機能と、警戒セット時に開戸状態の場合にはそれを必要に応じて知らせる注意処理を行う機能とを備える。
【００２６】
さらに、住宅設備系の端末としては、ガスメータ１０７と水道メータ１０８と電力メータ１０９とから計量情報を受け取る計量情報盤２０８もある。計量情報盤２０８は、図６に示すように、ＣＰＵ部２０８ａと、ガスメータ１０７と水道メータ１０８と電力メータ１０９とからの計量データを受け取る入力部２０８ｂと、受け取った計量データをＣＰＵ部２０８ａの制御の下でバス１４を介して親機１へ送るインターフェース部２０８ｃとを備えている。
【００２７】
計量情報盤２０８に対応する親機１のＣＰＵ部３０の機能としては、各計量データを積算して当月の現時点の各消費量を求めるとともに料金換算を行う機能と、各消費量をＣＯ２　換算する機能と、求めた消費量や料金、ＣＯ２　換算量をフラッシュＲＯＭ４５に蓄積保存するとともに、これらの保存データを操作指示に応じてグラフや表などにより親機１のモニタ装置３７や副親機１２のモニタ装置６３に表示させる機能と、現在の電力消費状態を監視して監視データを操作指示に応じて親機１のモニタ装置３７や副親機１２のモニタ装置６３に表示させる機能とがある。
【００２８】
住宅設備系の端末には、バス１４と電力線３００との間に介在するユニット２０９もある。ユニット２０９は、電力線３００に接続され電力線搬送の信号により制御監視される各種機器（照明器具３０１、分電盤３０２、電気錠３０３、その他設備３０４）を親機１で制御監視するために設けられ、ＲＳ４８５で用いる信号と電力線搬送の信号との間のプロトコル変換を行う。このユニット２０９を用いることにより、既存の電力線３００を信号線として用いる電力線搬送系の各種機器の制御監視が親機１から可能になる。なお、電力線搬送に使用する信号形式はとくに限定されるものではないが、汎用の形式を使うことでユニット２０９の汎用化が図れる。
【００２９】
自動通報機１９は、公衆回線６００に接続され、親機１からの自動通報機出力が入力すると、あらかじめ登録している電話番号の電話機（一般電話機、移動体電話機のいずれでもよい）に対して自動通報を行うもので、異常が発生したことを音声により通報するようになっている。また、上述したように、自動通報機１９にはドアホンアダプタ１７を介して電話機１６が接続可能であり、電話機１６がドアホン転送機能を備え、しかもドアホン子器２，２’との間で通話を行う系を設けているかあるいはドアトークターミナル５０１を介してワイヤレス子器５００との間で通話を行う系を設けている場合には、ドアホン子器２，２’あるいはワイヤレス子器５００からの来客呼出を自動通報機１９を通してあらかじめ登録されている電話番号の電話機に転送することも可能である。
【００３０】
ところで、本実施形態では親機１の接続部２６に１０ＢＡＳＥ−Ｔのケーブル１５を介してゲートウェイ４００を接続してある。ゲートウェイ４００はファイヤウォール機能とウェブサーバ機能とプロトコル変換機能とを備え、親機１をゲートウェイ４００を介して宅内ＬＡＮやインターネット６０１へ接続することができるようになっている。ゲートウェイ４００を通して親機１を宅内ＬＡＮないしインターネット６０１に接続する際のデータ授受の制御は親機１からＲＳ４８５のバス１４を通して行う。
【００３１】
ここで、宅内ＬＡＮは、パーソナルコンピュータ４０２やウェブカメラ４０３を接続するハブ４０４を用いて構築され、インターネット６０１にも接続されている。図１に示す例では、宅内ＬＡＮをインターネット６０１に接続するために、ルータ機能を備えたＡＤＳＬモデム４０１とスプリッタ４０５とを用い、公衆回線６００を利用したＡＤＳＬを介してたとえばインターネット接続業者に接続する。インターネット６０１にはＣＡＴＶ網や、その他の通信網を介して接続してもよく、図１は一例であるが、ＡＤＳＬに接続するためにスプリッタ４０５を用いているから自動通報機１９はスプリッタ４０５を介して公衆回線６００に接続してある。なお、ネットワークとしてインターネットを例示したが、専用ネットワークなどの他のネットワークに接続してもよい。
【００３２】
インターネット６０１にはサービス提供者のセンタサーバ６０２が接続されており、センタサーバ６０２によって後述する各種サービスを受けることができるようになっている。また、インターネット６０１に接続しているから、インターネット６０１の端末となるパーソナルコンピュータや移動体電話機などと親機１との間で情報の授受が可能であり、これによりインターネット６０１の端末からインターネット６０１と親機１とを介して親機１に接続された各種機器の操作／監視が可能になっている。
【００３３】
ゲートウェイ４００のウェブサーバ機能は、親機１に搭載しているウェブブラウザを用いて宅内ＬＡＮおよびインターネット６０１の機能設定を行うためのウェブページを親機１へ提供するものである。また、ゲートウェイ４００のファイヤウォール機能はインターネット６０１を通して他人が外部から侵入するのを防止するものである。
【００３４】
以下に動作を説明する。電源が投入され親機１が稼働すると待機状態に入る。待機状態では親機１および副親機１２の各モニタ装置３７，６３の画面は消えているが、親機１のＣＰＵ部３０が通話呼出などのトリガを受けるとモニタ装置３７，６３の画面表示が開始される。
【００３５】
また、待機状態で親機１または副親機１２のメニュー釦Ｓ１が操作されると、親機１のＣＰＵ部３０の制御の下で、操作があった親機１のモニタ装置３７または副親機１２のモニタ装置６３に、図７に示す基本のメニュー画面が表示される。なお、副受信機１２の画面表示は親機１側から送られてくる映像信号の再生による。このメニュー画面では種々機能の選択釦Ｂ１〜Ｂ１０が表示され、いずれかの選択釦Ｂ１〜Ｂ１０を使用者がタッチ操作すると、親機１ではタッチ位置の座標情報が親機１のＣＰＵ部３０へタッチパネルコントローラ５１を介して送られ、また副親機１２ではタッチ位置の座標情報がタッチパネルコントローラ６７を介して親機１へ送信され親機１のＣＰＵ部３０に取り込まれる。
【００３６】
本実施形態では、メニュー画面において、キッチンタイマ機能、アラーム機能、伝言機能、録画録音再生機能、セキュリティ機能、住宅に付随する設備（照明器具１０５，３０１、空調機器８など）のコントロール機能、カメラモニタ機能、設定機能、センタサーバ６０２から受けるサービス機能の計１０個の機能を個々に割り付けてある選択釦Ｂ１〜Ｂ１０のタッチ操作で選択できるようになっている。
【００３７】
一方、待機状態において、いずれかのドアホン子器２，２’から呼出操作があると、この呼出信号を受けた親機１のＣＰＵ部３０では、親機１および副親機１２，１２ａでそれぞれ呼出音を報知させる処理を行う。カメラ無しのドアホン子器２’で呼出操作が行われた場合には、親機１のモニタ装置３７と副親機１２のモニタ装置６３とでは当該ドアホン子器２’の設置場所と呼出中であることを示す文字表示を行う。また、カメラ付きのドアホン子器２で呼出操作が行われた場合には、図８（ａ）に示すように、カメラで捉えた来訪者の画像Ｍをモニタ装置３７（または６３）に映し出させるとともに、通話時に対応した機能の操作を行うためのアイコン（釦の図形）を画面の下部に表示する。この種のアイコンとして、図示例ではドアホン子器２の場所付近の電気錠９（または１０６）の施解錠を行う「電気錠」の操作釦Ｂ２０、画面の明るさや音量などを調節するための「映像通話」の操作釦Ｂ２１、来訪者を引き取らせるための報知音（たとえば、メロディ音）をドアホン子器２から送出させるための「お引取り」の操作釦Ｂ２９、タッチ操作毎に静止画の録画と通話音声の録音とを行う「録画録音」の操作釦Ｂ２２を設けてある。また、操作釦Ｂ２０の上方には電気錠の施解錠の状態を示すアイコンＩ１が表示される。操作釦Ｂ２０〜Ｂ２２，Ｂ２９の並びの左方にはアイコンの表示と非表示とを切り替えるための操作釦Ｂ０が設けられる。なお、図８（ａ）では操作釦Ｂ２０〜Ｂ２２，Ｂ２９が表示されているので、操作釦Ｂ０はアイコンを非表示に切り替える操作が可能になっており、「アイコン非表示」という表示になっている。さらに、画面上にはドアホン子器２に対応する場所を表す文字（図示例では「玄関１」）と「呼出し中」の文字とが表示されるとともに待機状態へ戻るための終了釦ＢＥが表示される。
【００３８】
来訪者と使用者（家人）とが通話を行う場合には、親機１または副親機１２または副親機１２ａの通話釦Ｓ０を押操作すればよく、通話釦Ｓ０の押操作によって親機１のＣＰＵ部３０の制御の下で親機１または副親機１２または副親機１２ａとドアホン子器２またはドアホン子器２’との間で通話路が確立されて来訪者と家人との間の通話が可能になる。また、来訪者を引き取らせたいときには「お引取り」の操作釦Ｂ２９をタッチ操作すれば通話することなく報知音をドアホン子器２（または２’）から送出させることができる。ここで、カメラ付きのドアホン子器２との通話の場合に、親機１のモニタ装置３７または副親機１２のモニタ装置６３に表示される図８（ａ）の画面において、「映像通話」の操作釦Ｂ２１をタッチ操作すると、図８（ｂ）のように映像通話に関する詳細設定を行うための操作釦Ｂ２３〜Ｂ２７が表示される。また、図８（ａ）の画面において、「録画録音」の操作釦Ｂ２２をタッチ操作すると、図９に示す画面に切り替わり、タッチ操作から６０秒間の通話音声を録音するとともにタッチ操作直後の静止画を録画する。画面右上の終了釦ＢＥがタッチ操作されたときには、親機１のＣＰＵ部３０は通話を行った親機１または副親機１２のモニタ装置３７，６３の画面を消して待機状態に戻る。
【００３９】
来訪者の呼出に応じた通話が終了した後の一定時間（たとえば１０秒）内に通話釦Ｓ０を押操作した場合は、図８（ａ）の画面が再度表示され、来訪者に対して延長通話ができるようになっている。このように通話釦Ｓ０の操作をトリガとした通話は、終了釦ＢＥの操作があるか、もしくは通話開始から所定時間経過すると自動的に待機状態に戻る処理がＣＰＵ部３０の制御の下でなされる。
【００４０】
さらに具体的に説明する。「映像通話」の操作釦Ｂ２１がタッチ操作された場合、タッチ操作がなされた親機１または副親機１２のモニタ装置３７，６３の画面は上述のように図８（ｂ）に示す画面に切り替わり、「映像通話」が選択中であることを示す文字表示Ｉ２が画面の下部左端に表示される。また、画面の下部には、画像が逆光か順光かに応じて露出を補正する「映像補正」の操作釦Ｂ２３、通話音量を３段階に切り替える「通話音量」の操作釦Ｂ２４、画面をカラーと白黒とに切り替える「カラー／白黒」の操作釦Ｂ２５、画面の明るさを調節する「明るさ」の操作釦Ｂ２６、１つ前の画面（ここでは、図８（ａ）の画面）に戻すための「戻る」釦Ｂ２７が表示され、画面の右上隅には待機状態に戻すための終了釦ＢＥが表示される。
【００４１】
一方、ドアホン子器２からの呼出に対して一定時間経過しても通話釦Ｓ０が操作されなかった場合にはＣＰＵ部３０により待機状態に戻る処理が行われる。また、ドアホン子器２（または２’）との通話中において、他のドアホン子器２（または２’）からの呼出があると、親機１あるいは副親機１２では、呼出音による報知が行われるとともにモニタ装置３７，６３の画面上にテキストで呼出元が表示される。通話中に室内呼出釦Ｓ２を操作すれば通話を保留するとともに他箇所への転送を可能とする。なお、後述するタイマ機能の動作による設定時間経過表示、アラーム機能の予定時刻到来時におけるサインピクト表示などは呼出中においても行われる。また、来訪者との通話が一定時間（たとえば、１分）経過するか終了釦ＢＥの操作が行われると待機状態に戻る。
【００４２】
一方、図８（ａ）に示す画面において「録画録音」の操作釦Ｂ２２のタッチ操作によって図９に示す画面に移行すると録画録音モードになる。録画録音モードでは、操作釦Ｂ２２の最初のタッチ操作時点から一定時間内の通話中の音声と操作釦Ｂ２２のタッチ操作時において画面に表示されている画像の静止画とをＣＰＵ部３０の制御下でフラッシュＲＯＭ４５にデジタルデータとして記録する。また、録画録音モードでは、「録画録音」の操作釦Ｂ２２をタッチ操作するたびにタッチ操作の時点の静止画を録画する。録画録音中には操作した親機１または副親機１２のモニタ画面にそれらを示すアイコンや日時を示す文字などが表示される。なお、図９に示す画面では図８（ａ）の画面に「録音停止」の操作釦Ｂ２８と録音中を示す表示とが付加表示される。録画録音された静止画および音声はメニュー画面の「録画録音再生」の選択釦Ｂ４のタッチ操作で呼び出した図１０に示す再生操作画面での操作で再生させることができる。
【００４３】
再生操作画面では、録画録音情報表示エリアＤ１が設けられ、録画したカメラの設置場所（設置場所の名称はあらかじめ登録してある）とともに録画録音の日時、在宅時の録画録音か留守時の録画録音かの別などが表示される。在宅時の録画録音とは後述する留守設定時以外の録画録音を意味する。録画録音の日時は録画録音データ釦Ｂ３４に対応付けられており、録画録音データ釦Ｂ３４のタッチ操作によって所望の録画録音データを再生することができる。図示例では１画面に表示される録画録音データ釦Ｂ３４は４個であって、５個以上の録画録音データが格納される場合に備えてスクロール釦Ｂ３５が設けられる。つまり、録画録音データは時系列に登録されており、スクロール釦Ｂ３５のタッチ操作により画面に表示されていない録画録音データに対応する録画録音データ釦Ｂ３５を表示することが可能になっている。録画録音データ釦Ｂ３５に付記して表示されている「未」、「済」、「保」の各記号は、「未」が未再生、「済」が既再生、「保」が保存済みを意味する。また、再生操作画面の下部には「再生」、「保存」、「消去」、「すべて削除」の各操作釦Ｂ３６〜Ｂ３８と、「戻る」の操作釦Ｂ２７とが配列される。
【００４４】
録画録音データを再生する場合は、図１０に示す画面において所望の録画録音データ釦Ｂ３４をタッチ操作することより所望の録画録音データを選択した後、「再生」の操作釦Ｂ３６をタッチ操作すれば、選択した録画録音データの再生が可能になる。再生した録画録音データに対応する録画録音データ釦Ｂ３５に付記された符号は「未」から「済」に変更される。また、録画録音データを保存しておく場合には、録画録音データ釦Ｂ３５で保存する録画録音データを選択した後に「保存」の操作釦Ｂをタッチ操作する。このとき、選択した録画録音データ釦Ｂ３５には「保」の符号が付記される。不要になった録画録音データを１件ずつ消去するには、録画録音データ釦Ｂ３５で不要な録画録音データを選択した後に「消去」の操作釦Ｂ３８をタッチ操作する。また、すべての録画録音データを消去する場合には、「すべて消去」の操作釦Ｂ３９をタッチ操作すればよい。このように、再生操作画面では録画録音データの再生のほか、保存および消去が可能になる。再生操作画面からメニュー画面（つまり、１つ前の画面）に戻るには「戻る」の操作釦Ｂ２７をタッチ操作する。
【００４５】
ところで、留守釦Ｓ４により留守セットモードが設定されているときには、ドアホン子器２からの呼出に対してドアホン子器２で撮像された静止画の録画と通話音声の録音とが自動的に行われる。静止画は一定時間毎に３枚撮像され、通話音声は１分間継続する。しかして、留守セットモードで録画録音データが記録された場合には、親機１もしくは副親機１２において録画録音データが存在する旨の表示がなされるとともに（図示しない表示灯が点滅点灯する）、録画録音データの件数が画面に表示される。その後、留守中に記録された録画録音データが古い方から順に自動的に再生される。ここで、録画録音データの１件当たりの静止画は３枚であるから、３枚の静止画が一定時間ずつ順に表示された後に画面が４分割されて３枚の静止画が一覧表示される。このようにして録画録音データがすべて再生された後には留守セットモードが自動的に解除される。なお、留守セットモードにおける録画録音データが存在しなければ図示しない表示灯が連続点灯になり、この状態で留守釦Ｓ４を押操作すれば留守中の録画録音データが存在しないことが画面に表示され、次に了解釦Ｓ５を押操作すれば留守セットモードが解除される。また、録画録音データはドアホン子器２のみから得られるのではなく、ドアホン子器２のカメラ、センサカメラ３ａ、監視カメラ３ｂ、ウェブカメラ４０３から使用者が適宜にカメラを選択することによって、選択したカメラによって撮像した静止画を録画録音データとして記録することも可能になっている。
【００４６】
上述したように親機１はインターネット６０１に接続されており、インターネット６０１を介してセンタサーバ６０２によるサービスを受けることが可能になっている。本実施形態におけるセンタサーバ６０２は、録画録音データを使用者に対応付けて格納する録画録音データベースを備えた画像サーバとしての機能を有している。すなわち、親機１のＣＰＵ部３０は、録画録音データをセンタサーバ６０２に転送して画像データベースに記録する機能（画像送信機能に相当する）と画像データベースから録画録音データを親機１の画像記録手段としてのフラッシュＲＯＭ４５に読み込んで再生する機能（画像受信機能に相当する）を有している。ただし、この処理は使用者が意識することなく自動的に行われ、センタサーバ６０２の画像サーバとしての機能は、使用者から見ればフラッシュＲＯＭ４５と同様に録画録音データを記録する手段として用いられる。本実施形態におけるフラッシュＲＯＭ４５では録画録音データとしての静止画を、たとえば８枚記録できる程度の容量であって比較的小さいものであるが、録画録音データの記録手段としてセンタサーバ６０２を用いることによって、フラッシュＲＯＭ４５の容量を超える録画録音データを記録することが可能になっている。
【００４７】
ここにおいて、画像を含む録画録音データのうち画像記録手段であるフラッシュＲＯＭ４５の記憶容量を超える録画録音データをセンタサーバ６０２に転送して蓄積させれば、親機１のみでは録画できなくなった画像のみをセンタサーバ６０２に転送することになり、必要以上にセンタサーバ６０２との通信を行うことがなく、インターネット６０１のトラフィックの増加を抑制することができる。あるいはまた、録画録音データをフラッシュＲＯＭ４５に格納するものも含めてセンタサーバ６０２に転送するようにすれば、少なくとも一部の録画録音データについてはフラッシュＲＯＭ４５から読み出すことによってセンタサーバ６０２との通信を行うことなく表示することができ、センタサーバ６０２に録画録音データを蓄積しながらも、再生の要求をしてから実際に再生されるまでの応答時間が短くなる。
【００４８】
なお、インターネット６０１上のセンタサーバ６０２に録画録音データを保存するから、録画録音データはウェブブラウザで再生可能な形式で格納され、センタサーバ６０２に保存された録画録音データは、許可者であればインターネット６０１に接続されているパーソナルコンピュータやウェブブラウザを備えた移動体電話機によって再生することが可能になる。したがって、使用者が外出先から録画録音データを確認して不審者の有無を確認したり、契約した警備会社などで録画録音データを確認するなどの利用形態に対応可能になる。また、センタサーバ６０２とは別に画像サーバを設け、センタサーバ６０２を仲介して親機１に画像サーバを接続するようにしてもよい。
【００４９】
上述した通話動作はドアホン子器２，２’側から呼び出した場合の例であったが、待機状態において親機１または副親機１２で通話釦Ｓ０を操作すると、操作した親機１または副親機１２のモニタ画面には親機１のＣＰＵ部３０の制御の下で、図１１（ａ）のようにドアホン子器２（またはドアホン子器２’）を設置している場所に対応した場所選択釦Ｂ３０のアイコンが表示される。この状態で使用者（家人）は呼び出したいドアホン子器２（またはドアホン子器２’）の場所に対応する場所選択釦Ｂ３０〜Ｂ３２をタッチ操作すれば、当該ドアホン子器２（またはドアホン子器２’）を選択することができる。カメラ付きのドアホン子器２を選択した場合には、図１１（ａ）のようにカメラが撮像した来訪者の画像Ｍと各種操作釦Ｂ０，Ｂ２０〜２２，Ｂ２９，Ｂ３３が表示される。また、カメラ無しのドアホン子器２を選択した場合には、操作釦Ｂ０，Ｂ２０〜２２，Ｂ２９，Ｂ３３のみが表示される。この画面では、図８（ａ）において表示された操作釦Ｂ０，Ｂ２０〜Ｂ２２，Ｂ２９に加えて「子器切替」の操作釦Ｂ３３が表示される。「子器切替」の操作釦Ｂ３３をタッチ操作すれば図１１（ａ）の画面に戻り他のドアホン子器２（またはドアホン子器２’）を選択することができる。なお、場所選択釦Ｂ３０〜Ｂ３２を示すアイコンの大きさは、その数が多ければ小さく、逆に少なければ大きくなるようにＣＰＵ部３０の制御の下でグラフィックス生成回路３９により生成される。また、場所選択釦Ｂ３０〜Ｂ３２による通話の際にもドアホン子器２またはドアホン子器２’からの呼出時と同様に通話釦Ｓ０の押操作により通話延長が可能である。
【００５０】
上述の例ではドアホン子器２またはドアホン子器２’と親機１または副親機１２または副親機１２ａとの間で通話する場合を説明したが、親機１と副親機１２との間、あるいは副親機１２と別の副親機１２との間で室内呼出を行う場合には、室内呼出を行う呼出側の室内呼出釦Ｓ２を操作する。この操作により親機１のＣＰＵ部３０の制御の下で、親機１のモニタ装置３７または副親機１２のモニタ装置６３には図１２に示す画面が表示される。ここでは２世帯住宅を想定しており、図１２に示す画面には、室内呼出を行う世帯内の親機１または副親機１２について、個別に呼び出すための呼出釦Ｂ４０〜Ｂ４７と、一斉に呼び出すための呼出釦Ｂ５０と、あらかじめ設定したグループ単位で呼び出すための呼出釦Ｂ５１，Ｂ５２と、他世帯に切り替えるための操作釦Ｂ５３とのアイコンが表示される。
【００５１】
ここで、個別に呼び出す場合には呼出釦Ｂ４０〜Ｂ４７の中から選択し、グループ単位で呼出の場合には各グループに対応した呼出釦Ｂ５１，Ｂ５２から選択し、一斉に呼び出す場合には呼出釦Ｂ５０を操作する。また、他世帯に対して室内呼出を行う場合には操作釦Ｂ５３をタッチ操作する。操作釦Ｂ５３をタッチ操作すれば他世帯に対応する呼出釦Ｂ４０〜Ｂ４７，Ｂ５０〜Ｂ５２の表示画面に切り替わり、他世帯に対して個別・グループ・一斉で呼び出すことが可能になる。
【００５２】
呼出釦Ｂ４０〜Ｂ４７をタッチ操作することにより親機１または副親機１２を個別に呼び出した場合、親機１のＣＰＵ部３０の制御の下で呼出側の画面には図１３（ａ）に示すよう呼出側の人物と場所を示す文字からなる画像Ｘと、被呼出側の人物と場所を示す文字からなる画像Ｙと、呼出方向を示す矢印Ｚとが表示される。一方、被呼出側では図１４（ａ）に示すよう呼出側の人物Ｘと場所を示す文字からなる画像Ｘと、被呼出側の人物と場所を示す文字からなる画像Ｙと、呼出方向を示す矢印Ｚとが表示される。これらの表示において呼出側か被呼出側かにかかわらず画面が表示されている側の親機１または副親機１２に対応する人物および場所を示す文字からなる画像Ｘ，Ｙが左側に表示される。つまり、呼出側では矢印の向きが右向きになり、被呼出側では矢印Ｚの向きが左向きになる。ここで、被呼出側で通話釦Ｓ０が操作され、親機１のＣＰＵ部３０の制御の下で、呼出側と被呼出側との通話路が確立されると、図１３（ｂ）および図１４（ｂ）に示すように、呼出側と被呼出側とにおいて矢印Ｚが両方向を示す矢印に変わり、通話中であることが表示される。なお、図１３（ａ）および図１４（ａ）の画面には、通話音量を切り替える「通話音量」の操作釦Ｂ６０、再呼出し動作を開始させる「再呼出」の操作釦Ｂ６１、図１２の画面に戻すための「戻る」の操作釦Ｂ２７が表示され、図１３（ｂ）および図１４（ｂ）の通話中の画面では、「通話音量」の操作釦Ｂ６０のみが表示される。室内呼出による通話は終了釦ＢＥを操作するか、通話開始から１分が経過すると終了し、終了後には待機状態に戻る。
【００５３】
次に、撮像装置を選択する動作について説明する。撮像装置を選択しようとする場合には、待機状態で親機１または副親機１２のモニタ釦Ｓ３を操作するか、親機１または副親機１２において図７に示したメニュー画面上で「カメラモニタ」の選択釦Ｂ６をタッチ操作することによってモニタ選択モードに移行させる。モニタ選択モードでは、親機１のＣＰＵ部３０の下で、各モニタ装置３７，６３の画面に、図１６（ａ）に示すように、接続されている個々の撮像装置（ドアホン子機２のカメラ、センサカメラ３ａ、監視カメラ３ｂ、ウェブカメラ４０３）に対応した選択釦Ｂ７０〜Ｂ７５のアイコンが表示されたモニタ選択画面に切り替わる。モニタ選択画面では画面の種類（この場合「モニタ選択」）を示す文字と待機状態に戻るための終了釦ＢＥも表示される。
【００５４】
ところで、システム構築時にあらかじめ接続される監視カメラ３ｂやセンサカメラ３ａの数と設置場所、ウェブカメラ４０３の数と個別番号は、親機１のフラッシュＲＯＭ４５の所定エリアに登録データとして格納されており、ＣＰＵ部３０はフラッシュＲＯＭ４５の登録データに基づいて、監視カメラ３ｂの設置場所名あるいはカメラ番号（個別番号）を記入した選択釦Ｂ７０〜Ｂ７５の画像データをグラフィック生成回路３９で作成させる。また、ＣＰＵ部３０は選択釦Ｂ７０〜Ｂ７５の表示個数によって選択釦Ｂ７０〜Ｂ７５の大きさを変えるようにグラフィック生成回路３９で画像データを作成させる。なお、表示個数によって選択釦Ｂ７０〜７５の大きさを変える処理は、各モニタ装置３７，６３の画面に表示する各種操作釦および選択釦に対しても適用される。
【００５５】
いま、図１５（ａ）に示す画面において、玄関に設置した監視カメラ３ｂを選択する選択釦Ｂ７０が親機１または副親機１２でタッチ操作されたとする。この場合、親機１のＣＰＵ部３０ではセレクタ回路３４を通して当該監視カメラ３ｂの画像を取り込み、操作があった親機１のモニタ装置３７または副親機１２のモニタ装置６３の画面に映し出す処理を行う。なお、図１５（ａ）において「ＷＥＢカメラ」はウェブカメラないしネットワークカメラを意味する。図１５（ｂ）はこの場合の画面の例を示しており、この画面ではモニタ中のカメラの設置場所（図示例では「玄関カメラ」）の文字が表示されるとともに、図８（ａ）に示した画面に類似した各種機能の操作釦Ｂ０，Ｂ２０〜Ｂ２２，Ｂ７６が表示される。すなわち、画面に表示された撮像装置の設置場所付近に配置した電気錠９，１０６の施解錠を行う「電気錠」の操作釦Ｂ２０、「映像通話」の操作釦Ｂ２１、他の撮像装置の画像を画面に表示させるための「カメラ切替」の操作釦Ｂ７６、「録画録音」の操作釦Ｂ２２のアイコンが表示され、さらに、アイコンの表示と非表示とを切り替える（図示例ではアイコンが表示中であるから非表示に切り替える状態になっている）ための操作釦Ｂ０が画面下部に表示される。「電気錠」の操作釦２０に対応する部位には電気錠の施解錠の状態を示すアイコンＩ１が表示される。このようにして任意の時に任意の場所の撮像装置の画像を画面に表示させることが可能になっている。
【００５６】
次に、セキュリティ関連の動作について説明する。セキュリティ関連の動作には、留守中の防犯防災の警戒を行う動作が含まれる。留守中の防犯防災の警戒を行う場合には、たとえば親機１あるいは副親機１２の留守釦Ｓ４を押操作する。留守釦Ｓ４を押操作すると待機状態から留守セットモードに移行し、留守釦Ｓ４が操作された親機１のモニタ装置３７または副親機１２のモニタ装置６３の画面には、図１６（ａ）に示すように、設置されている電気錠、防犯センサ、火災、ガスなどのそれぞれの現状の状態と、ＲＳ４８５あるいは電力線搬送により制御される照明器具１０５，３０１などの現状の状態とを表示する留守セット画面に切り替わる。留守せット画面では、使用者によってあらかじめ設定された複数の防犯パターンから所定の防犯パターンを選択する選択釦Ｂ８０〜Ｂ８２が表示され、所望の選択釦Ｂ８０〜Ｂ８２をタッチ操作すると、防犯・防災の対象の電気錠、防犯センサなどの組合わせパターンを選択し、選択した組合せパターンの対象となっている電気錠、防犯センサ、火災、ガスなどのそれぞれの状態と、ＲＳ４８５あるいは電力線搬送による制御可能な照明器具１０５，３０１などの状態とを表示できるようになっている。
【００５７】
使用者は留守セット画面で状態確認を行った後にセット釦ＳＴをタッチ操作すると、選択されている組合せパターンに属するセンサで異常が検出されず照明器具１０５，３０１などが設定された状態になっているときには、ＣＰＵ部３０の制御の下で、図１６（ｂ）のように一定時間後に警戒状態に入ることを示すメッセージが表示され、一定時間後に警戒状態にセットされる。ただし、図１６（ｂ）に示す画面では、セット釦ＳＴのタッチ操作から一定時間が経過する前に警戒状態への移行をキャンセルするための「キャンセル」の操作釦Ｂ９０が設けられ、キャンセル釦Ｂ９０が操作されるとＣＰＵ部３０の制御の下で、図１６（ａ）の画面に戻る。また、セット釦ＳＴのタッチ操作の後に窓などに設けた防犯センサが異常を検知するような場合（つまり、センサが異常を検知している場合や照明負荷１０５，３０１などが選択された組合せパターンでの設定状態とは異なっている場合）には、図１６（ｃ）のように、選択された組合せパターンとは異なる状態であることを示すメッセージがアラートダイヤログとして表示される。つまり、出かける前の戸締まりや電気機器の状態などの点検ができる。図１６（ｃ）のアラートダイヤログは使用者が確認釦Ｂ９１を操作すると閉じる。
【００５８】
上述した操作によって留守セットモードに移行し警戒状態が有効になると、副親機１２の表示部７０に設けた留守セットモードを示す表示灯（図示せず）と、親機１の操作表示部５２に設けた表示灯（図示せず）とがともに点灯する。上述したように、留守セットモードではドアホン子器２またはドアホン子器２’からの呼出があれば、親機１のＣＰＵ部３０は自動的に来訪者の静止画の録画と音声の録音（ドアホン子器２’に対しては音声の録音のみ）を行い、またセンサカメラ３ａなどの撮像装置が動作すれば、撮像装置により撮像した画像（静止画）を自動的に録画する。
【００５９】
ところで、留守セットモード（警戒状態）において防犯センサ、火災センサ、ガスセンサなどが作動すると、増設ベル１０を鳴動させるとともに、接点出力部２８をオンにして自動通報機１９により所定の通報先（電話番号により指定される）に公衆回線６００を通して音声で通報する。また、異常発生に応じた内容の電子メールをあらかじめ登録しているメールアドレスへ送信するように指示するコマンドをセンタサーバ６０２に送る。センタサーバ６０２へのコマンドは、ゲートウェイ４００から宅内ＬＡＮおよびインターネット６０１を通して送る。したがって、センタサーバ６０２から異常通報の電子メールが所定アドレスに送信される。これらの処理は、ＣＰＵ部３０の通報処理機能によって行う。このように、異常発生に対して電話番号により指定した通知先に音声によって通報することで即時性を確保し、しかも電子メールによっても通報することで確実に伝達するのである。したがって、移動体電話機のように電話通話と電子メールの受信とを共に行えるものを通報先とすれば、両者の短所を補うことで確実な通報が可能になる。
【００６０】
上述したように、留守セットモードにおいて録画録音データが生じた場合には、親機１または副親機１２に設けた表示灯が点滅点灯して録画録音データが存在することを示す。この状態で留守釦Ｓ４が操作されると、記録されている録画録音データの件数が親機１のＣＰＵ部３０の制御下で、操作のあった親機１または副親機１２の画面に表示された後、記録した日時の古いほうから順次再生され、留守セットモードにおけるすべての録画録音データの再生が終了するとＣＰＵ部３０の制御下で留守セットモードが解除されて待機状態に戻る。一方、録画録音データが存在しない場合には表示灯は連続点灯の状態に保たれる。この状態において留守釦Ｓ４が押操作されると、操作のあった親機１あるいは副親機１２の画面には「留守録メッセージ無し」という表示がなされ、この画面を確認した家人が了解釦Ｓ５を押操作すると、ＣＰＵ部３０は留守セットモードを解除して待機状態に戻る。
【００６１】
セキュリティ関連の動作には、留守中の防犯防災の警戒を行う動作のほかに、在宅中や就寝中におけるセキュリティ関連の動作も用意されている。
【００６２】
図７に示すメニュー画面において「セキュリティ」の選択釦Ｂ５をタッチ操作すれば、操作がなされた親機１あるいは副親機１２の画面に親機１のＣＰＵ部３０の制御下で、図１７に示すセキュリティ画面を呼び出すことができ、セキュリティ画面では、電気錠、防犯センサ、火災センサ、ガスセンサなどの状態を示すアイコンと、在宅時の警戒モード（昼間在宅モード）を選択する選択釦Ｂ９２と、就寝中の警戒モード（おやすみモード）を選択する選択釦Ｂ９３と、警戒セット状態のリセット（警戒解除モード）を選択する解除釦Ｂ９４と、警戒セットのセット釦ＳＴとを表示しており、選択釦Ｂ９２，Ｂ９３で昼間在宅モードとおやすみモードとの一方を選択し、セット釦ＳＴのタッチ操作で警戒状態をセットできる。また、解除釦Ｂ９４で警戒状態をリセットすることができる。画面に表示された「戻る」の操作釦Ｂ２７をタッチ操作すればメニュー画面に戻り、終了釦ＢＥをタッチ操作すると待機状態に戻る。なお、昼間在宅モードおよびおやすみモードでは家人が在宅しているので、センサによる異常検知があっても電子メールを含めて自動通報は行わない。
【００６３】
本実施形態では、上述したインターホン機能、防犯防災に関するセキュリティ機能の他に宅内の照明器具１０５，３０１などを遠隔制御できる制御監視機能を備えており、この機能を動作させる場合には、図７に示すメニュー画面の「コントロール」の選択釦Ｂ８をタッチ操作する。操作がなされた親機１あるいは副親機１２の画面には、親機１のＣＰＵ部３０の制御下で図１８（ａ）に示すコントロール用の操作画面を呼び出すことができる。図１８（ａ）は照明器具１０５，３０１を遠隔制御する画面例であって、照明器具１０５，３０１の点灯状態を操作する選択釦Ｂ１００〜Ｂ１０２，Ｂ１０７，Ｂ１０８が表示される。図中の選択釦Ｂ１００は就寝時の照明器具１０５，３０１の点灯制御、選択釦Ｂ００１は起床時の照明器具１０５，３０１の点灯制御、選択釦Ｂ１０２は外出中の照明器具１０５，３０１の点灯制御、選択釦Ｂ１０７はすべての照明器具１０５，３０１を点灯させる制御、選択釦Ｂ１０８はすべての照明器具１０５，３０１を消灯させる制御に対応する。これらの選択釦Ｂ１００〜Ｂ１０２，Ｂ１０７，Ｂ１０８のいずれかを選択するタッチ操作の後にセット釦１０９をタッチ操作することで制御情報がＣＰＵ部３０によって生成され、制御情報が所定の信号形式に変換された後、バス１４を通して対応する端末へ送信され、結果的に照明寄付１０５，３０１の点灯状態が制御される。
【００６４】
照明器具以外の機器の操作画面を呼び出す場合には操作釦Ｂ２００を操作すれば、図１７（ｂ）のように他の機器の操作に関する画面に切り替えることができる。図１７（ｂ）に示す画面において照明器具１０５，３０１を遠隔制御する画面に戻すには、「照明器具」に対応する操作釦Ｂ２０１をタッチ操作する。親機１のフラッシュＲＯＭ４５の所定エリアには、これらの画面の選択釦と照明器具１０５，３０１や他の機器との対応関係である関係テーブルが格納してあり、操作釦のタッチ操作があるとＣＰＵ部３０が照明器具１０５，３０１や他の機器を制御する制御信号を生成する。たとえば、照明器具１０５、３０１を遠隔制御する場合にはバス１４を通して制御を行うための制御信号を送信し、ＪＥＭ−Ａ規格の空調機器８を遠隔制御する場合にはＩ／Ｆ回路４７を通して制御信号を送信する。動作確認を把握する処理も同時に行う。
【００６５】
ところで、本実施形態では、ガスメータ１０７、水道メータ１０８、電力メータ１０９による各計測情報を収集蓄積しており、図７に示したメニュー画面の「省エネ」の選択釦Ｂ７をタッチ操作することにより、各計測情報を親機１または副親機１２の画面に表示させることが可能になっている。表示内容としては、現在の消費量、累積消費量、月末予想料金や、ＣＯ２　換算値などの数値表示やグラフ表示などがある。
【００６６】
また、図７に示すメニュー画面において「キッチンタイマ」の選択釦Ｂ１をタッチ操作すると、キッチンタイマ機能を呼び出してＣＰＵ部３０のタイマ機能の制御下で、アラーム音を親機１や副親機１２のスピーカＳＰを利用して報知させる時刻または時間の設定および登録、アラーム音の種類や音量などの設定および登録ができるようになっている。また、「お薬タイマ」の選択釦Ｂ２をタッチ操作することで薬などの投薬時間を報知するためのＣＰＵ部３０のタイマ機能を呼び出して、ＣＰＵ部３０の制御下でアラーム音をスピーカＳＰを利用して報知させる時刻の設定および登録、アラーム音の種類などの設定および登録ができる機能もある。つまり、これらのタイマ機能で種々のスケジュール管理が行える。
【００６７】
さらに、本実施形態には、家族間での伝言を登録する機能があり、この機能は「伝言」の選択釦Ｂ３を操作すれば呼び出すことができる。「伝言」の機能を選択した状態では、親機１または副親機１２のマイクロホンＭＩＣを利用して伝言メッセージをＣＰＵ部３０の制御下でフラッシュＲＯＭ４５に録音させることができる。伝言メッセージの登録情報は伝言メッセージ毎に画面に表示される。また、伝言メッセージの再生は録画録音データと同様に画面上に表示される操作釦のタッチ操作で行えるようになっている。
【００６８】
なお、図７におけるメニュー画面の「設定」の選択釦Ｂ９をタッチ操作すると、本実施形態において必要な各種設定を行うための画面が呼び出され、その画面で上述した動作や機能に必要な設定を行うようになっている。
【００６９】
ところで、図７におけるメニュー画面の「センタサーバ」の選択釦Ｂ１０は、センタサーバ６０２のサービスを利用しようとするときに選択される。センタサーバ６０２が提供するサービスには、上述のように録画録音データの記録と読出とを自動的に行ったり、電子メールの転送を行ったりする機能のほか、ガスセンサなどの交換時期の通知、自動通報機１０９の停電用バッテリの交換時期の通知、空調機器８や電気錠９や給湯器などの点検時期の通知、照明器具１０５，３０１のランプの交換時期の通知など、住宅内に設置された設備のメンテナンスの時期の通知もある。この種のサービスを受けるために、親機１のフラッシュＲＯＭ４５に住宅内に設置されている設備の種類を登録し、センタサーバ６０２に各住宅と設備の種類とに対応付けてメンテナンスの時期を管理するデータベースを設けてある。設備の種類の登録は選択釦Ｂ９で選択される「設定」において行うことができ、設定後に「センタサーバ」の選択釦Ｂ１０をタッチ操作すれば、センタサーバ６０２に設備に関する情報が転送される。
【００７０】
センタサーバ６０２では、フラッシュＲＯＭ４５に登録された設備がメンテナンスの時期になると、インターネット６０１を通して親機１に通知し、親機１のモニタ装置３７または副親機１２のモニタ装置６３に、メンテナンスが必要な設備の種類とともにメンテナンスを促す報知内容を表示させる。この報知は自動的に行ってフラッシュＲＯＭ４５に書き込むとともに報知があったことのみを親機１または副親機１２の表示灯によって通知し、留守セットモードと同様に使用者の操作によって読み出されるようにしてある。ただし、「センタサーバ」の選択釦Ｂ１０を操作したときに報知するようにしてもよい。
【００７１】
上述の説明から明らかなように、メンテナンスの時期の通知は、フラッシュＲＯＭ４５に書き込んだ設備の種類のデータを、親機１のＣＰＵ部３０からゲートウェイ４００およびＡＤＳＬモデム４０１などを通してセンタサーバ６０２に通知するとともに、センタサーバ６０２から親機１が情報を受け取ることによって行われる。センタサーバ６０２は図示例では１台であるが設備の管理会社が保有するサーバであれば複数台のサーバに分散してもよい。図示例においてはセンタサーバ６０２が設備の管理会社が保有する管理サーバとして機能する。ただし、管理サーバをセンタサーバ６０２とは別に設け、センタサーバ６０２を仲介して管理サーバを親機１に接続するようにしてもよい。
【００７２】
ところで、センタサーバ６０２から設備のメンテナンスを促す通知がなされると親機１のモニタ装置３７または副親機１２のモニタ装置６３の画面に設備の種類とともにメンテナンスを促す報知内容が表示される。この画面上にはメンテナンスの依頼の要否を入力させる操作釦も表示され、操作釦からメンテナンスの依頼の要否が入力されると、ＣＰＵ部３０の管理下においてメンテナンス依頼の要否をセンタサーバ６０２に通知するようになっている。したがって、電話や郵便による通知を行うことなく、メンテナンスの時期を使用者に認識させることができ、また、使用者も電話や郵便によらずにメンテナンスを依頼することができる。
【００７３】
ところで、上述の留守セットモードでは画面上での操作で自動的に一定時間後に警戒状態がセットされ、その解除は電気錠９の解錠によって警戒状態が解除されるようになっている。さらに、本実施形態ではＲＳ４８５のバス１４を通してワイヤレス警戒セット／リセット送受信器１０４を用いても警戒セット／リセットが可能となっている。つまり、設置する住宅が広く、前記一定時間内では敷地外へ出ることができない場合においては、あらかじめワイヤレス警戒セット／リセット送受信器１０４を用いることを設定しておけばワイヤレス警戒セット／リセット送受信器１０４からのセット情報が親機１のＣＰＵ部３０へ送られてきたときに警戒状態がセットされる。警戒状態のリセットも同様に敷地内に入る前に操作することで行える。
【００７４】
また、ＪＥＭ−Ａ規格の電気錠９では誰が解除したかの情報を取り込むことはできないが、本実施形態ではＲＳ４８５のバス１４に接続される端末としてカードキー２０５を用いる電気錠操作器２０４を使用することができるようになっているため、カードキー２０５の識別コードを親機１のＣＰＵ部３０によって解錠する際の認証を行うとともに認証コードから誰が解錠したかを履歴情報としてフラッシュＲＯＭ４５に保存する機能を備えている。したがって、本実施形態では、電気錠操作器２０４を用いた場合には、警戒セットが解除されるとあらかじめ登録されているメールアドレスに対して警戒状態のリセットの情報とリセットした人物の情報とを電子メールとしてセンタサーバ６０２経由で送ることで、外出中の家人に家族の帰宅を知らせることができるようになっている。
【００７５】
本実施形態では、インターネット６０１に宅内ＬＡＮとゲートウェイ４００とを介して接続しているので、上述の録画録音の再生、消去、電気錠９，１０６の施錠や、電気錠１０６側の開戸、閉戸の確認、照明器具１０５，３０１の制御操作、警戒セット／リセットの確認、ウェブカメラ４０３の画像のリアルタイムでの確認、センサ連動の録画録音の設定と再生操作、警報履歴の閲覧なども移動体電話機、パーソナルコンピュータなどのインターネット端末によって行うことができる。また警報時の通報と同様に留守中の来客通知（電子メール）も可能となっている。
【００７６】
上述した通話時の録画録音操作は手動の場合について説明したが自動的に録画録音を開始する動作を事前に設定できるようにしてもよい。この場合には、親機１がドアホン子器２から呼出信号を受けると一定時間（たとえば、３秒）後に録画録音が開始されるようにする。なお、上述の例ではバス１４としてＲＳ４８５を用いる例を示したが、ＲＳ２３２Ｃ、ＲＳ４２２など他の汎用シリアル伝送による通信系を用いることも可能である。
【００７７】
【発明の効果】
請求項１の発明は、画像を撮像する撮像装置と、ネットワーク上には画像を蓄積する機能を有した画像サーバを設けているのであって、親機には画像を画像サーバに転送して蓄積させる画像送信機能および画像サーバから画像を読み出して画像表示手段に表示させる画像受信機能を備える主制御手段を設けているので、親機に取り込まれる画像を画像サーバに転送して録画することが可能であり、親機では画像を録画するのに必要な記憶容量を比較的小さくすることができ、その結果、親機が大型化することがないという利点がある。
【００７８】
請求項２の発明は、請求項１の発明において、撮像装置により撮像された画像のうち画像記録手段の記憶容量を超える画像を画像サーバに転送して蓄積させるから、親機のみでは録画できなくなった画像のみを画像サーバに転送することになり、必要以上に画像サーバとの通信を行わないからネットワークのトラフィックの増加を抑制することができるという利点がある。
【００７９】
請求項３の発明は、請求項１の発明において、撮像装置により撮像された画像と撮像装置により撮像された画像のうち画像記録手段の記憶容量を超える画像とを画像サーバに転送して蓄積させるから、少なくとも一部の画像については画像サーバとの通信を行うことなく画像記録手段から読み出して表示することができ、画像サーバに画像を蓄積しながらも、画像の表示を要求してから表示されるまでの応答時間が短いという利点がある。
【図面の簡単な説明】
【図１】本発明の一実施形態の全体システム構成図である。
【図２】同上に用いる親機の回路構成図である。
【図３】同上に用いる副親機の回路構成図である。
【図４】（ａ）は同上に用いる照明マスタリモコンの回路構成図である。
（ｂ）は同上に用いる照明サテライトリモコンの回路構成図である。
【図５】同上に用いる電気錠操作器の回路構成図である。
【図６】同上に用いる計量情報盤の回路構成図である。
【図７】同上の親機、副親機のモニタ装置の画面に表示されるメニュー画面の表示例図である。
【図８】同上のドアホン子器からの呼出時のモニタ装置の画面表示例図である。
【図９】同上の録画録音動作時のモニタ装置の画面表示例図である。
【図１０】同上の再生操作のための画面表示例図である。
【図１１】同上の親機、副親機からのドアホン子器呼出時のモニタ装置の表示例図である。
【図１２】同上の室内通話時のモニタ装置の表示例図である。
【図１３】（ａ）は同上の宅内通話呼出時の呼出側のモニタ装置の表示例図である。
（ｂ）は同上の宅内通話呼出時の被呼出側のモニタ装置の表示例図である。
【図１４】（ａ）は同上の宅内通話時の呼出側のモニタ装置の表示例図である。
（ｂ）は同上の宅内通話時の被呼出側のモニタ装置の表示例図である。
【図１５】（ａ）は同上のカメラモニタの場所選択時のモニタ装置の表示例図である。
（ｂ）は同上のカメラモニタ時のモニタ装置の表示例図である。
【図１６】（ａ）は同上の留守時の警戒セット用の画面例図である。
（ｂ）は同上の警戒セット処理時の画面例図である。
（ｃ）は同上の警戒セット処理時の画面例図である。
【図１７】同上のセキュリティ機能の他の警戒セット用の画面例図である。
【図１８】（ａ）は同上の制御監視系の照明器具の操作セット用の画面例図である。
（ｂ）は同上の制御監視系の別の端末の操作セット用画面例図である。
【符号の説明】
１　親機
２　ドアホン子器
３ａ　センサカメラ
３ｂ　監視カメラ
３０　ＣＰＵ部
３７　モニタ装置
４５　フラッシュＲＯＭ
５５　インターフェース部
４００　ゲートウェイ
４０１　ＡＤＳＬモデム
４０３　ウェブカメラ
６０１　インターネット
６０２　センタサーバ
【図１】
2004135202.tif 000003
【図２】
2004135202.tif 000004
【図３】
2004135202.tif 000005
【図４】
2004135202.tif 000006
【図５】
2004135202.tif 000007
【図６】
2004135202.tif 000008
【図７】
2004135202.tif 000009
【図８】
2004135202.tif 000010
【図９】
2004135202.tif 000011
【図１０】
2004135202.tif 000012
【図１１】
2004135202.tif 000013
【図１２】
2004135202.tif 000014
【図１３】
2004135202.tif 000015
【図１４】
2004135202.tif 000016
【図１５】
2004135202.tif 000017
【図１６】
2004135202.tif 000018
【図１７】
2004135202.tif 000019
【図１８】
2004135202.tif 000020